【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
電気入力信号の喪失と同時に軸方向運動出力装置の軸方向位置を固定する装置であって、前記軸方向運動出力装置と結ばれ、前記軸方向運動出力装置が固定装置に対して自由に移動できる中立位置と、電気入力信号の喪失と同時に移動するのを防ぐため固定装置が十分な力をもって前記軸方向運動出力装置と摩擦的に係合する固定位置との間を運動するように適応される固定装置を備える装置。
【請求項２】
さらに、前記固定装置を前記中立位置から前記固定装置まで運動させる手段を備える請求項１記載の装置。
【請求項３】
前記固定装置が前記軸方向運動出力装置の外周部を取り囲む材料からなるリングであり、前記材料の軸方向の圧縮により前記リングが半径方向内側に向けた力を前記軸方向運動出力装置の前記外周部に作用させるように前記軸方向運動出力装置の直径周りに拘束される請求項２記載の装置。
【請求項４】
前記固定装置を運動させる手段が軸方向に向けた圧縮力を前記材料からなるリングに作用させるように構成される固定ピストンを備える請求項３記載の装置。
【請求項５】
前記固定ピストンが圧力調節される高圧流体源と流体連通している請求項４記載の装置。
【請求項６】
電気入力信号の喪失と同時に前記圧力調節される高圧流体源が前記固定ピストンに流体動力を作用させ、前記固定ピストンが前記材料からなるリングに圧縮力を作用させる請求項５記載の装置。
【請求項７】
電気入力信号の喪失と同時に軸方向運動出力装置の軸方向位置を固定する装置であって、
予め決められた方法で圧力が加えられたとき、前記軸方向運動出力装置の軸の外面と摩擦的に係合するように適応され、構成され、前記軸方向運動出力装置の軸と係合する固定要素と、
前記固定要素に圧力を加えるピストンと、
通常の動作範囲と電気入力信号の喪失と同時にその要素が作動する故障位置とを有する電気的に作動する要素と
を備え、故障位置において前記電気的に作動する要素が前記ピストンへの加圧流体の流動を可能にする装置。
【請求項８】
前記固定要素が環状要素である請求項７記載の装置。
【請求項９】
前記固定要素が金属、合成樹脂またはエラストマから製作される請求項７記載の装置。
【請求項１０】
前記固定要素が軸方向に加えられる荷重に応じて変形し、前記軸方向運動出力装置に対して半径方向に拡張し、前記軸方向運動出力装置と摩擦的に係合し、前記軸方向運動出力装置を固定する請求項７記載の装置。
【請求項１１】
前記電気的に作動する要素が前記軸方向運動出力装置の位置を制御している圧力を調節する可変流量制御装置である請求項７記載の装置。
【請求項１２】
前記電気的に作動する要素が可動フラッパ・アームを有するトルク・モータである請求項７記載の装置。
【請求項１３】
前記電気的に作動する要素に与えられる電気入力信号の喪失と同時にスプリングが前記フラッパ・アームを故障位置に駆動するように構成される請求項１２記載の装置。
【請求項１４】
前記軸方向運動出力装置の軸が燃料計量要素を備える請求項７記載の装置。
【請求項１５】
前記軸方向運動出力装置の軸が外部装置を動作させるように適応され、構成される請求項７記載の装置。
【請求項１６】
流体流量を調節するために油圧系統に流量制限要素が設けられる請求項７記載の装置。
【請求項１７】
電気入力信号の喪失と同時に軸方向運動出力装置を固定する方法であって、
軸方向運動出力装置の軸と係合する固定要素を準備し、ここで、前記固定要素は予め決められた方法で圧力が前記固定要素に加えられたとき、前記軸の外面と摩擦的に係合するように適応され、構成されており、
前記固定要素に圧力を加えるピストンを準備し、
通常の動作範囲と電気入力信号の喪失と同時にその要素が作動する故障位置とを有する電気的に作動する要素を準備し、ここで、故障位置において前記電気的に作動する要素は前記ピストンへの加圧流体の流動を可能にしており、
前記電気的に作動する要素が故障位置にあるとき、前記固定要素が前記軸の外面と摩擦的に係合し、前記軸の軸方向移動を拘束するように前記ピストンへの加圧流体流を切り換える
ことを含む方法。
【請求項１８】
さらに、前記固定要素に軸方向に向けた荷重を加え、前記固定要素を軸方向運動出力装置に対して半径方向に拡張させ、前記軸方向運動出力装置と摩擦的に係合させ、前記軸方向運動出力装置の軸方向位置を固定することを含む請求項１７記載の方法。
【手続補正２】
【補正対象書類名】明細書
【補正対象項目名】０００９
【補正方法】変更
【補正の内容】
【０００９】
本発明の一実施例では、装置はさらに固定装置を中立位置から固定位置まで運動させる手段を備える。固定装置を運動させる手段は、好ましくは拡張可能な、そうでなければ変形可能な材料からなるリングを、一般には軸方向に圧縮するように構成される固定ピストンを備える。この固定ピストンは、好ましくは通常の圧力に調節される高圧流体源と流体連通しており、加圧流体で作動する。電気入力信号の喪失と同時に通常の圧力に調節される高圧流体源が固定ピストンに流体動力を作用する。これは固定ピストンが拡張可能な、そうでなければ変形可能な材料からなるリングに軸方向に向けた圧縮力を掛け、そうでなければ加え、出力装置と摩擦的に係合し、出力装置が移動するのを防ぎ、したがって出力用ピストンを固定することができる。
【手続補正３】
【補正対象書類名】明細書
【補正対象項目名】００１０
【補正方法】変更
【補正の内容】
【００１０】
本発明の別の様相に従って、電気入力信号の喪失と同時に軸方向運動出力装置の軸方向位置を固定するために固定要素と、ピストンと、電気的に作動する要素とを有する装置が提供される。この固定要素は軸方向運動出力装置の軸と係合するように構成され、予め決められた方法で圧力が固定要素に加えられたとき、軸の外面と摩擦的に係合するように適応され、構成される。固定要素は実質的に環状形態を有し、実施形態によって金属、合成樹脂またはエラストマから製作される。本発明の実施形態によって固定要素は作用させる軸方向に向けた荷重に応じて変形し、軸方向運動出力装置と摩擦的に係合し、軸方向位置を固定するため軸方向運動出力装置に対して半径方向に拡張できるように構成される。
【手続補正４】
【補正対象書類名】明細書
【補正対象項目名】００１５
【補正方法】変更
【補正の内容】
【００１５】
本発明による方法はさらに電気的に作動する要素が故障位置にあるとき、ピストンへの加圧流体流を切り換えることを含む。この加圧流体流は固定要素が軸の外面と摩擦的に係合し、軸の軸方向への移動を阻止するためにピストンを駆動する。
【手続補正５】
【補正対象書類名】明細書
【補正対象項目名】００２５
【補正方法】変更
【補正の内容】
【００２５】
燃料計量装置１０のトルク・モータ３０への電気入力信号が喪失すると同時にバイアス・スプリング５０が上側入口ノズル４０に向かってフラッパ・アーム３６を閉鎖位置に駆動する。同時に、管５２内部の系統圧力Ｐｇが流量制限サーボ系統４２の高圧信号ＰＲと等しくなり、油圧動力が固定ピストン２６に作用する。このとき、固定ピストン２６が固定装置２４に軸方向に向けた力を掛け、そうでなければ加える。これは固定装置２４に圧縮力を生じさせ、固定装置２４を弾性変形させる。この弾性変形により固定装置２４が半径方向に膨出し、固定装置２４が図１の中立状態からピストン軸１６を拘束する固定状態へと移行する。それゆえ、トルク・モータ３０への電気入力信号の喪失と同時にピストン軸１６の軸方向位置が固定され、したがって、軸方向運動出力装置１２の最後に与えられた指令通りの燃料計量位置を維持することができる。
【手続補正６】
【補正対象書類名】明細書
【補正対象項目名】００２８
【補正方法】変更
【補正の内容】
【００２８】
同時に、管１５２内部の系統圧力Ｐｇ２がサーボ系統１４２の高圧信号ＰＲと等しくなり、油圧動力が固定ピストン１２６に働く。これは固定ピストン１２６が固定装置１２４に対して軸方向に力を加える。これは固定装置１２４に圧縮力を生じさせ、固定装置１２４を半径方向内側に膨出させ、図２に示す中立位置からピストン軸１１６に対して固定位置まで運動させる。したがって、トルク・モータへの電気入力信号の喪失と同時にピストン軸１１６の軸方向位置が固定され、リンケージを用いて動作可能に結ばれた可変ガイド・ベーンの最後に与えられた指令通りの燃料計量位置を維持することができる。
【手続補正７】
【補正対象書類名】明細書
【補正対象項目名】００２９
【補正方法】変更
【補正の内容】
【００２９】
本発明の油圧固定装置が好ましい実施例について説明されたが、当業者は本発明の本質と範囲とから離れることなく、変形および／または変更をなし得ることを容易に理解する。たとえば、当業者は別の多くの装置がエラストマまたは合成樹脂パッドのような軸方向運動出力装置の位置を固定するため摩擦的に係合し、そうでなければ固定するのに利用できることを容易に理解する。ここで、エラストマまたは合成樹脂パッドはピストン・ハウジングの内面によってピストン軸に対して半径方向内側に膨出させる方法で拘束される。さらに、ここに開示されるフェイル・フィクスト実施形態が固定ピストンを含む必要がないことを予め見通し、この態様も本発明の範囲に含まれる。むしろ、本発明の装置がピストン軸の摩擦係合を助長するのに必要な圧縮力を与える、高圧油圧信号と直接連通させるエラストマもしくは合成樹脂つかみパッドまたは装置のような固定装置を単に備えることを予め見通す。本発明の固定装置が燃料計量以外で用いる流体計量のため、または燃料ポンプの可変ガイド・ベーンの制御以外の軸方向運動制御要素と共に利用できることを予め見通す。